(57)【要約】【課題】衣類のポケットから取り出し易く、しかも、不用意にポケットから滑り落ちることがない釣糸用スプールを提供すること。【解決手段】釣糸用スプール１０は、ボビン状に形成されたスプール本体１２と、面ファスナー片１１とを備える。面ファスナー片１１は、スプール本体１２のフランジ部１５の外側面１７に取り付けられている。面ファスナー片１１は、マジックテープ（登録商標）を構成する面ファスナー片が採用される。【選択図】  図１
2004215637.tif 000002
【特許請求の範囲】
【請求項１】
釣糸が巻き取られる円筒部と、
円筒部の両端部に形成されたフランジ部と、
フランジ部の外側面に設けられた滑止部材とを有する釣糸用スプール。
【請求項２】
上記滑止部材は、
面ファスナーを構成する一対の面ファスナー片のうちいずれか一方の面ファスナー片により構成されている請求項１記載の釣糸用スプール。
【発明の詳細な説明】
【０００１】
【発明の属する技術の分野】
この発明は、長尺の釣糸が巻回される釣糸用スプールの構造に関するものである。
【０００２】
【従来の技術及び発明が解決しようとする課題】
釣糸は、一般に定尺寸法（５０ｍ〜２００ｍ程度）に切断され、これが釣糸用スプールに巻き取られた状態で販売され、使用される。釣糸用スプールは、一般にボビン状に形成されており、釣糸が巻き付けられる円筒部と、この両端部に設けられたフランジ部とを有する。
釣糸がいわゆる道糸として使用されるときは、釣糸用スプールに巻き取られた全部の釣糸が一時に使用されるが、例えば、釣糸がハリスとして使用されるときは、釣人は、釣糸用スプールから所要長さだけ釣糸を引き出して使用し、残りの釣糸は、その端部が当該釣糸用スプールに係止された状態で保存される。
【０００３】
釣糸の一部が釣糸用スプールによって保存される場合は、釣糸の端部が釣糸用スプールに係止されていなければならず、そのために、従来から種々の構造を備えた釣糸用スプールが提供されている（例えば、特許文献１及び特許文献２参照）。
また、釣糸が釣りの最中に頻繁に交換等される場合は、釣糸用スプールが衣類（フィッシングウェア等）のポケットから容易に取り出せるものであることが重要であり、そのためにも従来の釣糸用スプールは、ボビン状に形成されている。
【０００４】
【特許文献１】
特開平１１−２２０９９０号公報
【特許文献２】
特開２０００−３７１５５号公報
【０００５】
しかし、従来の釣糸用スプールは、一般に合成樹脂により成形されており、衣類に対して非常に滑りやすいものであった。そのため、釣糸用スプールが衣類のポケットから取り出される際に、釣糸用スプールが釣り場に滑り落ちてしまうこともあった。
そこで、本発明の目的は、衣類のポケットから容易に取り出すことができると共に、不用意に衣類のポケットから滑り落ちることのない釣糸用スプールを提供することである。
【０００６】
【課題を解決するための手段】
上記目的を達成するため、本願に係る釣糸用スプールは、釣糸が巻き取られる円筒部と、円筒部の両端部に形成されたフランジ部と、フランジ部の外側面に設けられた滑止部材とを有することを特徴とするものである。
【０００７】
この構成によれば、釣糸用スプールは、いわゆるボビン状に形成されるから、釣人は、衣類のポケットに対して容易に収納し、取り出すことができる。しかも、釣糸用スプールのフランジ部には、滑止部材が設けられているから、釣糸用スプールが不用意に衣類のポケットから滑り落ちることはない。
【０００８】
また、上記滑止部材は、面ファスナーを構成する一対の面ファスナー片のうちいずれか一方の面ファスナー片により構成されている構成されているのが好ましい。
この構成では、滑止部材として面ファスナーを構成する面ファスナー片が使用されるから、滑止部材のコストをきわめて安価なものとすることができる。
【００１０】
【発明の実施の形態】
以下、本発明の実施の形態について説明される。
図１は、本発明の一実施形態に係る釣糸用スプール１０の斜視図である。
本実施形態に係る釣糸用スプール１０の特徴とするところは、同図が示すように、釣糸用スプール１０に面ファスナーを構成する面ファスナー片１１（滑止部材）が備えられており、これにより、釣糸用スプール１０は、フィッシングウェア等のポケットに収容された状態であっても、不用意にポケットから滑り落ちることがないように構成されている。
【００１１】
釣糸用スプール１０は、スプール本体１２と、上記面ファスナー片１１とを備えている。
スプール本体１２は、円筒部１３とフランジ部１４，１５とを備えている。スプール本体１２は、従来から一般的に提供されているスプール本体と同様の構造であって、例えば合成樹脂により一体的に形成されている。もっとも、スプール本体１２は、合成樹脂のほか、紙やその他の種々の材料により構成されていてもよい。
【００１２】
円筒部１３は、所定の外径寸法に形成されている。釣糸は、この円筒部１３に、その軸方向に沿って順次巻き取られる。
フランジ部１４，１５は、同図が示すように、円筒部１３の両端部に設けられており、互いに対向している。このフランジ部１４，１５が設けられることによって、釣糸は、円筒部１３の軸方向に沿って往復しつつ正確に巻き取られる。
なお、円筒部１３の中央部には、フランジ部１４，１５に貫通する中筒部１６が形成されている。この中筒部１６は、例えば、釣糸が釣糸巻取機によって自動的に巻き取られる場合に、釣糸巻取機の回転軸が挿通されるようになっている。
【００１３】
同図が示すように、フランジ部１５の外側面１７に、面ファスナー片１１が取り付けられている。本実施形態では、面ファスナー片１１は、面ファスナーとしてのマジックテープ（登録商標）を構成する面ファスナー片が採用されている。
また、本実施形態では、面ファスナー片１１は、フランジ部１５の２カ所に設けられているが、その個数には何ら制限が加えられることはない。
【００１４】
この釣糸用スプール１０では、当該釣糸用スプール１０がフィッシングウェア等のポケットに収容されたときに、上記面ファスナー片１１が滑止部材として機能する。したがって、釣人が釣りの最中に釣糸用スプール１０を頻繁にポケットから取り出す場合であっても、釣糸用スプール１０は、不用意にポケットから滑り落ちることはない。しかも、釣糸用スプール１０は、前述のようにボビン状に形成されているから、その取出作業及び収納作業がきわめて簡単である。
【００１５】
さらに、本実施形態では、上記滑止部材としてマジックテープ（登録商標）を構成する面ファスナー片が採用されているので、フィッシングウェア等の衣類に対して効果的な滑り止めが実現されると共に、釣糸用スプールの製造コストは、大幅に上昇することはないという利点がある。
【００１６】
なお、本実施形態では、滑止部材として上記面ファスナー片１１が採用されているが、これに限定されるものではなく、衣類に対して十分な滑止効果を発揮し得るものであれば、他の部材が採用され得ることは勿論である。
また、本実施形態では、面ファスナー片１１は、フランジ部１５に設けられているが、フランジ部１４にも設けられていてもよいことは勿論である。
【００１７】
【発明の効果】
以上のように、本発明によれば、釣糸用スプールがボビン状に形成され、衣類のポケットから容易に取り出すことができると共に、滑止部材によって、ポケットから釣糸用スプールが不用意に滑り落ちることはない。したがって、釣人は、釣りの最中に釣糸用スプールを頻繁に取り出す必要がある場合であっても、当該取出作業を簡単且つ円滑に行うことができる。
【図面の簡単な説明】
【図１】図１は、本発明の一実施形態に係る釣糸用スプールの斜視図である。
【符号の説明】
１０  釣糸用スプール
１１  面ファスナー片
１２  スプール本体
１３  円筒部
１４  フランジ部
１５  フランジ部
１７  外側面
【図１】
2004215637.tif 000003